(57)【要約】【課題】回路の誤動作を確実に防止する。【解決手段】交流電圧から変換されて電源入力ラインによって供給される直流電圧を、当該電源入力ラインと接続する入力端子を介して入力するＩＣを含み、当該ＩＣによる動作によって値が変換された直流電圧を出力可能であり、当該ＩＣは所定のしきい値以上の電圧をイネーブル端子から入力する場合に動作可能である、電源制御回路であって、上記入力端子からＩＣに入力される直流電圧が所定値を下回ったときに、上記イネーブル端子に入力される電圧を上記しきい値より低下させるイネーブル制御回路を備える構成とした。【選択図】図１
2012055094.tif 000002
【特許請求の範囲】
【請求項１】
交流電圧から変換されて電源入力ラインによって供給される直流電圧を、当該電源入力ラインと接続する入力端子を介して入力するＩＣを含み、当該ＩＣによる動作によって値が変換された直流電圧を出力可能であり、当該ＩＣは所定のしきい値以上の電圧をイネーブル端子から入力する場合に動作可能である、電源制御回路であって、
上記入力端子からＩＣに入力される直流電圧が所定値を下回ったときに、上記イネーブル端子に入力される電圧を上記しきい値より低下させるイネーブル制御回路を備えることを特徴とする電源制御回路。
【請求項２】
上記イネーブル制御回路は、上記電源入力ライン側にカソードを接続し上記イネーブル端子側にアノードを接続したツェナーダイオードを有し、当該ツェナーダイオードは上記入力される直流電圧が上記所定値を下回ったときに上記イネーブル端子への電圧の入力を遮断することを特徴とする請求項１に記載の電源制御回路。
【請求項３】
交流電圧から変換されて電源入力ラインによって供給される直流電圧を、当該電源入力ラインと接続する入力端子を介して入力するＩＣを含み、当該ＩＣによる動作によって値が降圧された直流電圧を出力可能であり、当該ＩＣは最低動作電圧値以上の直流電圧を上記入力端子から入力し且つ所定のしきい値以上の電圧をイネーブル端子から入力する場合に動作可能である、電源制御回路であって、
上記電源入力ラインとイネーブル端子とを繋ぐ信号線の途中にカソードを電源入力ライン側に接続しアノードをイネーブル端子側に接続したツェナーダイオードを配設し、当該ツェナーダイオードは、上記交流電圧の供給が途絶えて上記入力端子からＩＣに入力される直流電圧が上記最低動作電圧値よりも高い所定値を下回ったときに、上記イネーブル端子への電圧の入力を遮断することにより上記イネーブル端子に入力される電圧を上記しきい値より低下させることを特徴とする電源制御回路。
【発明の詳細な説明】
【技術分野】
【０００１】
本発明は、電源制御回路に関する。
【背景技術】
【０００２】
入力された直流電圧の値を変換して異なる直流電圧を後段の回路へ出力するいわゆるＤＣ／ＤＣコンバータが知られている。ＤＣ／ＤＣコンバータは、その中枢をなすＩＣを含んでいる。
【０００３】
オンからオフに移行する際にバタツキ（誤動作）が発生しないようにすることを目的とし、低電圧遮断回路がオンからオフに変化したとき、ヒステリシスを作るトランジスタがオンからオフに変化したことで、トランジスタのドレイン電圧がゲート・ドレイン間のカップリング容量により上昇するが、トランジスタのゲート・ドレイン間のカップリング容量に相当するコンデンサによりドレイン電圧を引き下げてしまうことで打ち消し、トランジスタのゲート電圧の上昇を防ぎ、低電圧遮断回路のバタツキをなくした電源制御回路が知られている（特許文献１参照。）。
また、ＡＣ電源がオフとなった場合またはＡＣ電源が瞬間停電等のために一瞬電圧がオフになった場合において、マイコンＩＣの誤動作を防止することを目的として、電源からマイコンＩＣに対して供給される電源電圧を、電源トランスの出力の負電圧を利用して検出し、該検出電圧をマイコンＩＣにフィードバックすることにより、電源電圧が所定値以下となった場合にマイコンＩＣをリセットして、マイコンＩＣからのデータ送信を停止するようにしたパワーリセット回路の構成が開示されている（特許文献２参照。）。
また、入力電圧を一旦落として再投入した場合にも制御用ＩＣが誤動作を起こすことがないようにすることを目的として、トランスの一次側巻線の入力電圧が所定の電位よりも低くなった場合に整流回路の平滑容量の電荷を引き抜いて制御回路に供給される電圧を降下させる電圧降下手段を設けた直流電源装置の構成が開示されている（特許文献３参照。）。
【先行技術文献】
【特許文献】
【０００４】
【特許文献１】特開２０００‐１９７３５６号公報
【特許文献２】特開２００２‐１５８５７２号公報
【特許文献３】特開２０１０‐１１５６３号公報
【発明の概要】
【発明が解決しようとする課題】
【０００５】
上述したようなＤＣ／ＤＣコンバータが内蔵される電化製品においては、電源コード（ＡＣコード）による電源供給が遮断された（ＡＣコードが電源コンセントから抜かれた）とき、瞬時にＤＣ／ＤＣコンバータの上記ＩＣへの入力電圧が０Ｖとなることが理想的である。しかしＤＣ／ＤＣコンバータにおいては、ＡＣコードによる電源供給が遮断された場合、入力電圧は、即座には０Ｖまで低下せずにある程度の期間（例えば、約４００ｍｓｅｃ）ある程度の電圧を略保持し、その後、０Ｖとなる現象が見られた。ＤＣ／ＤＣコンバータはその設計上、入力電圧について最低動作電圧値というものが設定されており、入力電圧が最低動作電圧値以上であることがＩＣが動作する条件の一つとなっている。そのため、ＡＣコードによる電源供給が遮断されてから入力電圧が０Ｖとなるまでに、入力電圧が最低動作電圧値付近を不安定に上下する（最低動作電圧値付近を略保持する）期間があると、その間、ＤＣ／ＤＣコンバータが出力電圧のオン・オフを繰り返してしまうような不安定な動作（誤動作。チャタリングとも言う。）が発生し得る。
【０００６】
本発明は上記課題を解決するためになされたものであり、電源供給が遮断された場合に従来見られた誤動作を確実に起きないようにすることが可能な電源制御回路を提供する。
【課題を解決するための手段】
【０００７】
本発明の態様の一つは、交流電圧から変換されて電源入力ラインによって供給される直流電圧を、当該電源入力ラインと接続する入力端子を介して入力するＩＣを含み、当該ＩＣによる動作によって値が変換された直流電圧を出力可能であり、当該ＩＣは所定のしきい値以上の電圧をイネーブル端子から入力する場合に動作可能である、電源制御回路であって、上記入力端子からＩＣに入力される直流電圧が所定値を下回ったときに、上記イネーブル端子に入力される電圧を上記しきい値より低下させるイネーブル制御回路を備える構成としてある。
【０００８】
当該構成によれば、上記入力端子からＩＣに入力される直流電圧が所定値を下回ったとき、イネーブル端子に入力される電圧が上記しきい値より低下する。そのため、上記交流電圧の供給が途絶えた後、上記入力端子からＩＣに入力される直流電圧が０Ｖとなるまでの間に、ＩＣを不安定に動作させるような電圧が上記入力端子から入力される状態であってもＩＣは動作不能となり、結果、ＩＣの不安定な動作による誤動作が発生しない。
【図面の簡単な説明】
【０００９】
【図１】電源制御回路の回路構成等を概略的に示す図である。
【図２】本実施形態におけるＡＣコードが抜かれた前後の電圧変化を示す図である。
【図３】従来におけるＡＣコードが抜かれた前後の電圧変化を示す図である。
【発明を実施するための形態】
【００１０】
本発明の実施形態として、上記イネーブル制御回路は、上記電源入力ライン側にカソードを接続し上記イネーブル端子側にアノードを接続したツェナーダイオードを有し、当該ツェナーダイオードは上記入力される直流電圧が上記所定値を下回ったときに上記イネーブル端子への電圧の入力を遮断する構成としてもよい。
また、より詳細な本発明の実施形態として、交流電圧から変換されて電源入力ラインによって供給される直流電圧を、当該電源入力ラインと接続する入力端子を介して入力するＩＣを含み、当該ＩＣによる動作によって値が降圧された直流電圧を出力可能であり、当該ＩＣは最低動作電圧値以上の直流電圧を上記入力端子から入力し且つ所定のしきい値以上の電圧をイネーブル端子から入力する場合に動作可能である、電源制御回路であって、上記電源入力ラインとイネーブル端子とを繋ぐ信号線の途中にカソードを電源入力ライン側に接続しアノードをイネーブル端子側に接続したツェナーダイオードを配設し、当該ツェナーダイオードは、上記交流電圧の供給が途絶えて上記入力端子からＩＣに入力される直流電圧が上記最低動作電圧値よりも高い所定値を下回ったときに、上記イネーブル端子への電圧の入力を遮断することにより上記イネーブル端子に入力される電圧を上記しきい値より低下させる構成としてもよい。
【００１１】
以下、図面を参照しながら本発明の実施形態を説明する。
図１は、本実施形態にかかる電源制御回路１０等を概略的に示している。電源制御回路１０は、電源入力回路２０から直流電圧ＤＣを電源入力ライン１３にて入力し、その値を変換して異なる直流電圧ＤＣを後段の回路（不図示）へ出力するＤＣ／ＤＣコンバータとして機能する。電源入力回路２０は、商用交流電圧の電源コンセントに挿入されたＡＣコード２１を介して交流電圧を入力し、入力した交流電圧に対しての電圧変換、整流、平滑化等を施すことにより直流電圧ＤＣを取り出し、この直流電圧ＤＣを電源制御回路１０に入力させる。電源制御回路１０および電源入力回路２０は、電化製品に搭載される電源回路を構成する。これら電源制御回路１０等が搭載される製品は、テレビジョン、ＤＶＤプレーヤ／レコーダ、ブルーレイディスク（ＢＤ）プレーヤ／レコーダ等、様々である。
【００１２】
電源制御回路１０は、ＤＣ／ＤＣコンバータとしての機能の中枢を担うＩＣ１１を備える。ＩＣ１１は、ＭＯＳＦＥＴを内蔵した１チップＩＣ（例えば、型名ＢＤ９３２６ＥＦＪのＩＣ）であり、複数の端子（ピン）を備える。ＩＣ１１の入力端子ＶＩＮは電源入力ライン１３と接続されている。電源コンセントにＡＣコード２１が挿入されている状況（交流電圧の供給がなされている状況）下では、電源入力回路２０から電源入力ライン１３に対して＋１２Ｖ程度の直流電圧ＤＣが供給され、この直流電圧ＤＣが電源入力ライン１３を介して入力端子ＶＩＮに入力される。なお電源入力ライン１３には、抵抗や、平滑化のためのコンデンサ（図１参照）などが適宜接続され得る。ＩＣ１１は、直流電圧ＤＣを入力端子ＶＩＮから入力するとともに、スイッチ端子ＳＷから所定のデューティ比のパルス信号を出力する動作をする。すると、このパルス信号のデューティ比に応じて降圧（変換）された直流電圧ＤＣがチョークコイルＬの後段に出力される。
【００１３】
ＩＣ１１においては、入力端子ＶＩＮから入力する電圧に対して最低動作電圧値Ｖｍｉｎが設定されており、入力する電圧が最低動作電圧値Ｖｍｉｎ以上であることが、ＩＣ１１が上記のように動作する条件の一つとなっている。最低動作電圧値Ｖｍｉｎは、例えば４〜６Ｖ程度である。また、ＩＣ１１のイネーブル端子ＥＮには、イネーブル信号（電圧）が入力される構成となっており、ＩＣ１１は、電圧が所定のしきい値以上であるイネーブル信号を入力する場合に動作可能となっている。つまりＩＣ１１は、当該しきい値以上のイネーブル信号がイネーブル端子ＥＮに印加され且つ最低動作電圧値Ｖｍｉｎ以上の電圧が入力端子ＶＩＮに印加されている場合に限り動作する。その他、ＩＣ１１は、ソフトスタート端子ＳＳ、位相補正端子ＣＯＭ、フィードバック端子ＦＢ、ブースト端子ＢＳＴ、グラウンド端子Ｇを備える。図１では、各端子と周囲との接続状況を全て示している訳ではなく本実施形態に必要な部分を適宜示している。
【００１４】
本実施形態の特徴は、電源入力ライン１３とイネーブル端子ＥＮとの間に、イネーブル制御回路１２を設けたことにある。従来は、このようなイネーブル制御回路１２は設けられておらず、電源入力ライン１３とイネーブル端子ＥＮとを直接繋ぐ構成が採られており、電源入力ライン１３上の電圧がイネーブル端子ＥＮにも印加されていた。
イネーブル制御回路１２は、電源入力ライン１３上の接続点１３ａとイネーブル端子ＥＮとを繋ぐ信号線の途中において、カソードを電源入力ライン１３側に接続しアノードをイネーブル端子ＥＮ側に接続したツェナーダイオードＺ（＋電源に対して逆接続されたツェナーダイオードＺ）を含んでいる。また、イネーブル制御回路１２は、ツェナーダイオードＺのアノードとイネーブル端子ＥＮとの間に過電流防止用に抵抗Ｒ１［１００Ω］を設け、さらに、抵抗Ｒ１とイネーブル端子ＥＮ側との間の接続点１２ａを、抵抗Ｒ２［１ｋΩ］を介してグラウンドに接地している。抵抗Ｒ２は、ツェナーダイオードＺに安定的に電流を流すために設けられた抵抗である。
【００１５】
ツェナーダイオードＺは、所定値Ｖｓ（ツェナー電圧）以上の電圧が印加された場合に電流を流す特性を有しており、所定値Ｖｓは例えば＋９．１Ｖ程度である。従って、上述したように電源コンセントにＡＣコード２１が挿入されている状況下では、電源入力ライン１３に対して＋１２Ｖ程度の直流電圧ＤＣが供給されているためツェナーダイオードＺは電流を流し、結果、イネーブル端子ＥＮには＋９Ｖ程度の電圧がイネーブル信号として入力されることとなる。このようなイネーブル信号は上記しきい値以上であるためＩＣ１１は正常に動作し、その結果、ＤＣ／ＤＣコンバータからは降圧された直流電圧ＤＣが出力される（ＤＣ／ＤＣコンバータから出力電圧Ｖｏｕｔが得られる）。
【００１６】
一方、ＡＣコード２１が電源コンセントから抜かれて交流電圧の供給が遮断された場合、電源入力ライン１３上の電圧は＋１２Ｖ程度から０Ｖへと低下する。この過程で、ツェナーダイオードＺに印加される電圧が所定値Ｖｓを下回った瞬間にツェナーダイオードＺは電流を流さなくなり、イネーブル端子ＥＮへの電圧供給が遮断される。つまりイネーブル信号は０Ｖとなり上記しきい値より低い値となる。すなわち、ＡＣコード２１が電源コンセントから抜かれて電源入力ライン１３上の接続点１３ａの電位が所定値Ｖｓを下回った瞬間に、イネーブル信号が遮断されＩＣ１１の動作が止まる。なおＩＣ１１は、単純に、イネーブル信号が０Ｖとなった時に動作を停止するとしてもよい。
【００１７】
上述したようにＤＣ／ＤＣコンバータにおいては、ＡＣコードが抜かれて外部からの電源供給が遮断された場合でも、電源ライン上の電圧は即座には０Ｖまで低下せず、ある程度の期間、最低動作電圧値Ｖｍｉｎ付近の電圧が略保持されることがある。そのため従来は、最低動作電圧値Ｖｍｉｎ付近の電圧が略保持されてＩＣが不安定に動作することによる誤動作が問題となっていた。しかし本実施形態によれば、ＡＣコード２１が電源コンセントから抜かれて電源入力ライン１３上の電圧（入力端子ＶＩＮに入力される電圧）が最低動作電圧値Ｖｍｉｎよりも高い所定値Ｖｓを下回った瞬間にＩＣ１１の動作が強制的に停止されるため、上記誤動作が確実に防止される。
【００１８】
図２は、本実施形態を採用した場合の、ＡＣコード２１が引き抜かれた前後におけるＩＣ１１の入力端子ＶＩＮの電圧変化と上記出力電圧Ｖｏｕｔの変化との測定結果を示している。図３は、従来の構成（イネーブル制御回路１２が無い構成）を採用した場合の、ＡＣコードが引き抜かれた前後におけるＩＣの入力端子ＶＩＮの電圧変化と出力電圧Ｖｏｕｔの変化との測定結果を示している。図３に示すように、ＡＣコードが抜かれた後も入力端子ＶＩＮの電圧が０Ｖになるまでにある程度の時間を要し、その過程で入力端子ＶＩＮの電圧が最低動作電圧値Ｖｍｉｎ付近を略保持する期間がある。そのため、ＡＣコードが抜かれた後にＩＣの動作・不動作が繰り返され、出力電圧Ｖｏｕｔがオン・オフを繰り返している（ＤＣ／ＤＣコンバータの誤動作が起きている）ことが判る。この場合、イネーブル信号に関するしきい値は最低動作電圧値Ｖｍｉｎよりも低い。一方、図２では、ＡＣコード２１が抜かれた後、入力端子ＶＩＮの電圧が最低動作電圧値Ｖｍｉｎ付近を略保持する期間がある点は図３と同様である。しかし、上述したように本実施形態では、入力端子ＶＩＮの電圧が最低動作電圧値Ｖｍｉｎ付近となる前にＩＣ１１の動作が強制的に停止されるため、このような入力端子ＶＩＮの電圧の最低動作電圧値Ｖｍｉｎ付近での不安定さにかかわらず、上記のような誤動作は発生しない。
【符号の説明】
【００１９】
１０…電源制御回路、１１…ＩＣ、１２…イネーブル制御回路、２０…電源入力回路、２１…ＡＣコード
【図１】
2012055094.tif 000003
【図２】
2012055094.tif 000004
【図３】
2012055094.tif 000005